(57)【要約】【課題】電源を必要としない受光反応によって光ファイバ伝送路内を伝搬する不可視光の有無をシステム稼働状態において判断することができ、また、その不可視光検出機能は光コネクタなどに容易かつ安価に組み込んで光ファイバ導波路内を伝搬する赤外光の伝送状態を常時監視するなどの用途に適用することが可能となる光ファイバを伝搬する不可視光の検出表示方式を提供する。【解決手段】不可視光の検出方式は、不可視光を変調搬送波として用いた情報信号である変調不可視光を伝達する光ファイバ導波路において、光ファイバ導波路は、その内部を伝搬する変調前記変調不可視光を光パワー分岐するための光パワー分岐回路が接続され、パワー分岐回路の分岐出力端には、光パワー分岐された前記変調不可視光を受光して自ら反応し可視光を発光する不可視光検出機能体を備えている。【選択図】      図１
2004233181.tif 000002
【特許請求の範囲】
【請求項１】
不可視光を変調搬送波として用いた情報信号である変調不可視光を伝達する光ファイバ導波路において、
前記光ファイバ導波路には、その内部を伝搬する前記変調不可視光を光パワー分岐するための光パワー分岐回路が接続され、前記光パワー分岐回路の分岐出力端には、光パワー分岐された前記変調不可視光を受光して自ら反応し可視光を発光表示する不可視光検出機能体を備えていることを特徴とする光ファイバを伝搬する不可視光の検出表示方式。
【請求項２】
不可視光を変調搬送波として用いた情報信号である変調不可視光を双方向に伝達する光ファイバ導波路において、
前記光ファイバ導波路は任意の位置で第１の導波路と第２の導波路に分離され、前記光ファイバ導波路を方向別に伝搬する前記変調不可視光をそれぞれ光パワー分岐するための第１の分岐端と第２の分岐端を備えた方向性光パワー分岐回路を備え、
前記第１の分岐端および第２の分岐端には方向別に光パワー分岐された前記変調不可視光を受光して自ら反応し可視光を発光する不可視光検出機能体を備えていることを特徴とする光ファイバを伝搬する不可視光の検出表示方式。
【請求項３】
前記方向性光パワー分岐回路から前記第１の分岐端および第２の分岐端により光パワー分岐された方向別の前記変調不可視光は、光合波回路によって１つの合波不可視光に合波されると共に、前記光合波回路の合波出力端には前記合波不可視光を受光して自ら反応し可視光を発光する不可視光検出機能体を備えていることを特徴とする請求項２に記載の光ファイバを伝搬する不可視光の検出表示方式。
【請求項４】
前記光パワー分岐回路または前記方向性光パワー分岐回路において、そのパワー分岐比率が可変であって、前記変調不可視光の検出確認時以外では不可視光検出機能体方向への光パワー分岐比率を極力小さくするように制御可能であることを特徴とする請求項１，請求項２または請求項３に記載の光ファイバを伝搬する不可視光の検出表示方式。
【請求項５】
不可視光を変調搬送波として用いた情報信号である変調不可視光と、前記不可視光とは別波長の不可視光からなる試験不可視光を伝達する光ファイバ導波路において、
前記光ファイバ導波路は、その内部を伝搬する前記試験不可視光を抽出するための試験不可視光出力端と前記変調不可視光を抽出するための変調不可視光出力端とを備えた光波長フィルタ回路の入力端に接続されると共に、前記試験不可視光出力端には、前記試験不可視光を受光して自ら反応し可視光を発光する不可視光検出機能体を備えていることを特徴とする光ファイバを伝搬する不可視光の検出表示方式。
【請求項６】
前記光パワー分岐回路，前記方向性光パワー分岐回路または前記光波長フィルタ回路から不可視光検出機能体方向に向かう光経路には、反射による戻り光を阻止するための光アイソレータ機能が備わっていることを特徴とする請求項１，請求項２，請求項３，請求項４または請求項５に記載の光ファイバを伝搬する不可視光の検出表示方式。
【請求項７】
前記不可視光検出機能体は、可視変換蛍光性材料からなり、前記変調不可視光または前記試験不可視光に自ら反応して前記可視光を発光する材質を用いて構成されていることを特徴とする請求項１，請求項２，請求項３，請求項４，請求項５または請求項６に記載の光ファイバを伝搬する不可視光の検出表示方式。
【請求項８】
前記変調不可視光または前記試験不可視光は赤外線領域光であり、前記可視変換蛍光性材料は赤外輝尽蛍光性材料であることを特徴とする請求項１，請求項２，請求項３，請求項４，請求項５，請求項６または請求項７に記載の光ファイバを伝搬する不可視光の検出表示方式。
【請求項９】
前記不可視光検出機能体は、前記変調不可視光または前記試験不可視の相異なる光波長帯域に対応してそれぞれ相異なる発光色で前記可視光を発光する機能を備えていることを特徴とする請求項１，請求項２，請求項３，請求項４，請求項５，請求項６，請求項７または請求項８に記載の光ファイバを伝搬する不可視光の検出表示方式。
【請求項１０】
前記不可視光検出機能体が備わった光出力端は光コネクタで構成され、前記光コネクタには開閉式の光遮蔽機能が備わっていると共に、前記光遮蔽機能における光遮蔽部に前記不可視光検出機能体が備えられていることを特徴とする請求項１，請求項２，請求項３，請求項４，請求項５，請求項６，請求項７，請求項８または請求項９に記載の光ファイバを伝搬する不可視光の検出表示方式。
【請求項１１】
前記不可視光検出機能体が備わった光出力端は光アダプタで構成され、前記光アダプタには開閉式の光遮蔽機能が備わっていると共に、前記光遮蔽機能における光遮蔽部に前記不可視光検出機能体が備えられていることを特徴とする請求項１，請求項２，請求項３，請求項４，請求項５，請求項６，請求項７，請求項８または請求項９に記載の光ファイバを伝搬する不可視光の検出表示方式。
【請求項１２】
前記不可視光検出機能体にその一端が接続された前記不可視光検出機能体から発光する前記可視光を導波する可視光導波路を備え、前記可視光導波路の他端から前記可視光を抽出するように構成されていることを特徴とする請求項１，請求項２，請求項３，請求項４，請求項５，請求項６，請求項７，請求項８または請求項９に記載の光ファイバを伝搬する不可視光の検出表示方式。
【発明の詳細な説明】
【０００１】
【発明の属する技術分野】
本発明は、赤外線の如き不可視光で情報を伝達する光ファイバ情報伝送システムに関するものであり、特に、その不可視光の伝送状態を監視するための不可視光の検出表示方式に関するものである。
【０００２】
【従来の技術】
この種の技術分野において、従来は情報伝送する不可視光または試験用に予め準備した不可視光を光ファイバ伝送路から抽出した後に一旦電気信号へ変換し、その後に例えば液晶ディスプレイなどに表示させる装置を用いて信号検出する構成が採用されていた。このような従来の技術においては、別電源を必要とするうえに装置が大型となる欠点がある。
【０００３】
このような欠点を考慮して、不可視光を電気信号に変換することなく、不可視光を可視光に変換して光信号の状態で検知する試みがが成されている（特許文献１参照）。
【０００４】
【特許文献１】
特開平７−２６０５６５号公報
【０００５】
【発明が解決しようとする課題】
この特許文献１に開示されているものは、中実で可視光を透過し赤外光を吸収する導波性支持体の一端に赤外可視変換蛍光体からなる赤外変換部を備えた構成を有して、狭隘部での赤外線検知，明光下での赤外線検知を可能とするものであるが、ある空間への赤外光の放射を目視で検知するものであり、光導波路における赤外光の伝送状態を常時監視するなどの用途については、開示はなくまた適用可能な構造でもない。
【０００６】
本発明の目的は、電源を必要としない受光反応によって光ファイバ伝送路内を伝搬する不可視光の有無をシステム稼働状態において判断することができ、また、その不可視光検出機能は光コネクタなどに容易かつ安価に組み込んで光ファイバ導波路内を伝搬する赤外光の伝送状態を常時監視するなどの用途に適用することが可能となる光ファイバを伝搬する不可視光の検出表示方式を提供することにある。
【０００７】
【課題を解決するための手段】
上記目的を実現するため、本発明による光ファイバを伝搬する不可視光の検出表示方式は、不可視光を変調搬送波として用いた情報信号である変調不可視光を伝達する光ファイバ導波路において、
前記光ファイバ導波路は、その内部を伝搬する前記変調前記変調不可視光を光パワー分岐するための光パワー分岐回路が接続され、前記パワー分岐回路の分岐出力端には、光パワー分岐された前記変調不可視光を受光して自ら反応し可視光を発光する不可視光検出機能体を備えていることを特徴とする構成を有している。
【０００８】
また、不可視光を変調搬送波として用いた情報信号である変調不可視光を双方向に伝達する光ファイバ導波路において、
前記光ファイバ導波路は任意の位置で第１の導波路端と第２の導波路端に分離され、前記光ファイバ導波路を方向別に伝搬する前記変調不可視光をそれぞれ光パワー分岐するための、少なくとも２つ端子から成る第１の分岐端と少なくとも２つの端子から成る第２の分岐端を備えた方向性パワー分岐回路を備え、前記第１の分岐端および前記第２の分岐端には方向別に光パワー分岐された前記変調不可視光を受光して自ら反応し可視光を発光する不可視光検出機能体を備えていることを特徴とする構成を有している。
【０００９】
このとき、前記方向性光パワー分岐回路から前記第１の分岐端および第２の分岐端により光パワー分岐された方向別の前記変調不可視光は、光合波回路によって１つの合波不可視光に合波されると共に、前記光合波回路の合波出力端には前記合波不可視光を受光して自ら反応し可視光を発光する不可視光検出機能体を備えているように構成することができる。
【００１０】
また、前記光パワー分岐回路または前記方向性光パワー分岐回路において、その光パワー分岐比率が可変であって、前記変調不可視光の検出確認時以外では不可視光検出機能体方向への光パワー分岐比率を極力小さくするように制御可能であるように構成することができる。
【００１１】
さらに、不可視光を変調搬送波として用いた情報信号である変調不可視光と、前記不可視光とは別波長の不可視光からなる試験不可視光を伝達する光ファイバ導波路において、
前記光ファイバ導波路は、その内部を伝搬する前記試験不可視光を抽出するための試験不可視光出力端と前記変調不可視光を抽出するための変調不可視光出力端とを備えた光波長フィルタ回路の入力端に接続されると共に、前記試験不可視光出力端には、前記試験不可視光を受光して自ら反応し可視光を発光する不可視光検出機能体を備えていることを特徴とするように構成することができる。
【００１２】
これらの構成において、前記光パワー分岐回路，前記方向性光パワー分岐回路または前記光波長フィルタ回路から不可視光検出機能体方向に向かう光経路には、反射による戻り光を阻止するための光アイソレータ機能が備わっているような構成も反射戻り光に敏感な光伝送システムでは有効である。
加えて、前記不可視光検出機能体は、可視変換蛍光性材料からなり、前記変調不可視光または前記試験不可視光に自ら反応して前記可視光を発光する材質を用いることができる。
【００１３】
また、主たる適用用途として考えられる光ファイバ情報通信システムにおいて、前記変調不可視光または前記試験不可視光は赤外線領域であり、前記可視変換蛍光性材料は赤外領域に特化した赤外輝尽蛍光性材料を用いる構成を採用することができ、さらに加えて、近年その利用範囲が拡大している波長分割多重方式を考慮して、前記不可視光検出機能体は、前記変調不可視光または前記試験不可視光の相異なる光波長帯域に対応してそれぞれ相異なる発光色で前記可視光を発光する機能を備えるような構成をとることができる。
【００１４】
なお、前記不可視光検出機能体が備わった光出力端は光コネクタで構成され、前記光コネクタには対応する光アダプタに挿入されたときに開くような開閉式の光遮蔽機能が備わっていると共に、前記光遮蔽機能における光遮蔽部に前記不可視光検出機能体が備えられているように構成することができる。
【００１５】
また、前記不可視光検出機能体が備わった光出力端は光アダプタで構成され、前記光アダプタには光コネクタを挿入されたときに開くような開閉式の光遮蔽機能が備わっていると共に、前記光遮蔽機能における光遮蔽部に前記不可視光検出機能体が備えられているように構成することができる。
【００１６】
さらに、前記不可視光検出機能体にその一端が接続された前記不可視光検出機能体から発光する前記可視光を導波する可視光導波路を備え、所望の距離だけ離れた前記可視光導波路の他端から前記可視光を抽出するように構成することができる。
【００１７】
【発明の実施の形態】
以下、図面を参照しながら本発明に関する実施例について説明する。
図１は、本発明における第１の実施例に該当する光ファイバを伝搬する不可視光の検出表示方式を示したものである。光変調信号送信機１では、搬送波光信号を強度変調方式などで変調を施した光被変調信号１ａを送出するものであり、一般の光情報通信システムにおいては、搬送波光信号は伝送損失が少ない１．３１μｍや１．５５μｍといった波長帯の近赤外線領域の不可視光が用いられる。前記光被変調信号１ａは光ファイバ導波路２を介して低損失伝送される。なお、本実施例では、光被変調信号１ａが単方向にのみ伝送されている例を示しているが、光ファイバ導波路２内を逆方向に伝送される前記光被変調信号と異なった逆向き被変調信号が存在してもかまわない。
【００１８】
前記光変調信号送信機１から送出された光被変調信号１ａは、光分岐回路３において所定の比率で光パワー分岐され、それぞれ光変調信号受信機４および不可視光検出部５へ送られる。光分岐回路３としては、光方向性結合器やＹ分岐導波路型光回路などが採用可能である。なお、光分岐回路３における分岐比率は固定のものであってもよいし、外部からの温度制御などによって分岐比率が変化するものであってもかまわない。分岐比率可変の光分岐回路であるときは、不可視光を検出する必要がない場合に不可視光検出部方向への光被変調信号分岐比率を極力小さいものとして、無駄な分岐損失を生じさせないようにすることが可能となる。
【００１９】
光分岐回路３の片方の出力端３ａから出力される光被変調信号は光被変調信号受信機４に到達し、ここで光信号から電気信号へ復調される。もう一方の出力端３ｂから出力される光被変調信号は不可視光検出機能体を有する不可視光検出部５に送られ、ここで光被変調信号は可視光へ変換される。
【００２０】
図２は図１における不可視光検出部５の例であり、光コネクタ５１として構成されている。図２の光コネクタ５１は光ファイバ導波路２を精度良く固定するための光コネクタフェルール５ａと、光コネクタ筐体となる光コネクタハウジング５ｂから構成される。また、図２の光コネクタ５１には、防塵や使用者の目の保護を目的として、ＬＳＨ型光コネクタなどで採用されている開閉式のシャッタ構造の光コネクタ光遮蔽部５ｃを備えている。なお、光コネクタ５１からの戻り反射光が図１における光変調信号送信機１の動作に悪影響を及ぼす場合には、図２における光ファイバ導波路２において、それを阻止するための光アイソレータ６が挿入されている構成を用いることもできる。
【００２１】
図３は図２における光コネクタ光遮蔽部５ｃの１例を示すものであり、図２の光コネクタ５１の光コネクタ光遮蔽部５ｃの正面から見た図であり、光コネクタ光遮蔽部５ｃが閉じている状態を示したものである。図３の光コネクタ光遮蔽部５ｃには不可視光検出材料部５ｃ−１が備わっており、この不可視光検出材料部５ｃ−１は図２の光コネクタフェルール５ａの端部から放出される不可視光である光被変調信号に反応して可視光を発光するものである。
【００２２】
図３の不可視光検出材料部５ｃ−１として、１．３１μｍや１．５５μｍの波長帯である近赤外線領域の不可視光を用いる光ファイバ情報通信システムを前提とすると、近赤外線を受光し可視光で蛍光発光する赤外輝尽蛍光材料（硫化カルシウムＣａＳに微量のサマリウムＳｍとユーロピウムＥｕを添加した材料からなる）などを用いることができる。そのとき、例えば１．３１μｍ波長帯であるＯ−ｂａｎｄ  と１．５５μｍ波長帯であるＣ−ｂａｎｄ  で、それぞれ個別に反応して異なる発光色を発光する２種類の蛍光材料を、例えば、図３に示す円形状の不可視光検出材料部５ｃ−１を２分してそれぞれ半円形となすように配置するか、中心から放射状に小扇形片が交互に配置されるか、または、単に短冊状片を交互に配置する等の適宜の配置パターンを採用して、波長帯識別が可能な不可視光検出材料部５ｃ−１を構成することができる。
【００２３】
図４、は図１における不可視光検出部５のもう１つの例であり、光被変調信号が終端される一般的な光コネクタが挿入される光アダプタ５２として構成されているもので、その断面図を示したものである。図４の光アダプタ５２は、光コネクタフェルール同士を精度良く接合させるための割りスリープ５ｄと、光コネクタを固定するためのアダプタハウジング５ｅから構成される。さらに図４では、光コネクタの挿入の有無によって開閉する光遮蔽部５ｆを備えている。図１における不可視光検出部５としては、図４の光アダプタ５２の一端に一般的な光コネクタが挿入されて構成されるものを用いることができる。
【００２４】
図５は、図４の光アダプタ５２を光コネクタ挿入口正面から見た図であり、光遮蔽部５ｆには、図３と同様の不可視光検出材料部５ｃ−１が備わっている。この構成による実施例では、光アダプタ５２のどちらか一方の光コネクタ挿入口に光コネクタが挿入されたとき、もう一方の光コネクタ挿入口側の光遮蔽部５ｆにある不可視光検出材料部５ｃ−１によって、挿入された光コネクタのフェルール端から放出される不可視光である光被変調信号を検出することが可能となる。
【００２５】
図６は、図１における不可視光検出部５のもう１つの例であり、前記不可視光検出機能体５ｃ−１から発光する可視光を可視光導波光ファイバ６によって伝搬させる構成になっている。ここで、５ｇは、光ファイバ導波路を引き止めて保持する光コネクタフェルール５ａを内包する光コネクタ５ｂの出力側（図示右側）に結合されるコネクタキャップであり、この光コネクタキャップ５ｇの内部には光コネクタフェルール５ａの出力端（図示右側）に対向する位置に不可視光検出材料部５ｃ−１が取り付けられている。この不可視光検出材料部５ｃ−１には、可視光導波光ファイバ６が結合されている。従って、光ファイバ導波路２により伝送された不可視光は、不可視光検出材料部５ｃ−１により可視光に変換され、可視光導波光ファイバ６により伝送される。
このような構成をとることによって、不可視光検出部５と検出可視光を確認する場所とが離れていても伝送状態を確認することが可能となる。
【００２６】
図７は、本発明における第２の実施例に該当する光ファイバ伝搬不可視光検出方式を示したものであり、１心の光ファイバ導波路２において双方向に光被変調信号を送受信する場合にそれぞれの方向に伝搬する光被変調信号を検出することができる構成となっている。光変調信号送受信機１０および２０は、搬送波光信号を強度変調方式などで変調を施した光被変調信号を送出すると共に、対向する光変調信号送受信機１０，２０から送出された光被変調信号を受信して電気信号へ復調するものである。このとき、それぞれの方向の光被変調信号を多重化する方法としては、光時間多重方式や光波長多重方式を採用することができるが、本実施例においては、その方式を限定するものではない。
【００２７】
すなわち、図７に示す実施例は、不可視光を変調搬送波として用いた情報信号である変調不可視光を双方向に伝達する光ファイバ導波路において、
前記光ファイバ導波路（２）を任意の場所において第１の導波路（２ａ）と第２の導波路（２ｂ）に分離し、前記光ファイバ導波路を方向別に伝搬する前記変調不可視光をそれぞれ光パワー分岐するための第１の分岐端（３０ａ）と第２の分岐端（３０ｂ）を備えた方向性光パワー分岐回路（３０）を備え、
前記第１の分岐端（３０ａ）および第２の分岐端（３０ｂ）には方向別に光パワー分岐された前記変調不可視光を受光して自ら反応し可視光を発光する不可視光検出機能体（１１，１２）を備えていることを特徴とする光ファイバを伝搬する不可視光の検出表示方式である。
【００２８】
図７における方向性光分岐回路３０は、Ｙ分岐光回路の組合せや方向性結合器で構成されるものであり、光変調信号送受信機１０の出力光信号は光変調信号送受信機２０と不可視光検出部２１へ、光変調信号送受信機２０の出力光信号は光変調信号送受信機１０と不可視光検出部１１とに分岐され出力される。
【００２９】
図８は図７における不可視光検出部１１と不可視光検出部２１を１つにまとめた構成例を示した第３の実施例であり、図７の実施例において双方向に伝送される光被変調信号を個別に検出する必要がない場合に適用可能なものである。図７の方向性光分岐回路３０から不可視光検出部１１，１２にそれぞれ出力される２つの不可視光検出用光被変調信号は、図８における光合波器４０によって合波され不可視光検出部４１へ送出される。
【００３０】
すなわち、図８に示す実施例は、前記方向性光パワー分岐回路（３０）から前記第１の分岐端（３０ａ）および第２の分岐（３０ｂ）により光パワー分岐された方向別の前記変調不可視光は、光合波回路（４０）によって１つの合波不可視光に合波されると共に、前記光合波回路（４０）の合波出力端には前記合波不可視光を受光して自ら反応し可視光を発光する不可視光検出機能体（４１）を備えていることを特徴とする光ファイバを伝搬する不可視光の検出表示方式である。
【００３１】
図９は本発明における第４の実施例に該当する光ファイバ伝搬不可視光検出方式を示したものであり、光被変調信号とは別の波長の近赤外光による光試験信号を利用して光ファイバ導経路２の断線などを検査する構成になっている。
【００３２】
すなわち、図９に示す実施例は、不可視光を変調搬送波として用いた情報信号である変調不可視光と、前記不可視光とは別波長の不可視光からなる試験不可視光を伝達する光ファイバ導波路２において、
前記光ファイバ導波路２は、その内部を伝搬する前記試験不可視光を抽出するための試験不可視光出力端（５０の出力）と前記変調不可視光を抽出するための変調不可視光出力端（５１の出力）とを備えた光波長フィルタ回路（５３と５４）の入力端（５３）に接続されると共に、前記試験不可視光出力端（５４から５６への出力）には、前記試験不可視光を受光して自ら反応し可視光を発光する不可視光検出機能体（５６）を備えていることを特徴とする光ファイバを伝搬する不可視光の検出表示方式である。
【００３３】
なお、本実施例においても、図１について説明した場合同様に、光被変調信号が単方向にのみ伝送されている例を示しているが、光ファイバ導波路２内を逆方向に伝送される前記光被変調信号と異なった逆向き光被変調信号が存在してもかまわない。
【００３４】
図９では光変調信号送信機５０の出力と光試験信号送出器５１の出力が光波長多重合波回路５３によって光信号多重される。このとき、光試験信号は連続発振光であっても何らかの変調が施されている被変調信号であってもかまわない。光信号多重されて光ファイバ導波路２を伝達する光伝搬信号は、誘電多層膜などで実現された光波長フィルタ５４によって元の光被変調信号と光試験信号とに分離復元され、復元された光被変調信号は光変調信号受信機５５へ送出されて電気信号に復調されると共に、復元された光試験信号は不可視光検出部５６へ送出されて、不可視光検出機能体である不可視光検出材料により可視光へ変換される構成となっている。
【００３５】
【発明の効果】
以上詳細に説明したように、本発明によれば、不可視光を用いた光ファイバ情報伝送手段において、電子回路装置に頼ることなく光ファイバ内不可視光信号の有無をシステム稼働の状態で検知することが可能となり、光ファイバ通信システム保守運用管理に付帯する伝送光信号の確認又は監視の作業を容易かつ省スペースに実現することが可能となる。従って、本発明方式の実用的効果は極めて大である。
【図面の簡単な説明】
【図１】本発明における第１の実施例である光ファイバを伝搬する不可視光の検出表示方式を示すブロック図である。
【図２】図１の実施例に用いる不可視光検出部の一構造例を示す側面略図である。
【図３】図２の構造例に用いる光コネクタ光遮蔽部の構造例を示す正面略図である。
【図４】図１の実施例に用いる不可視光検出部の他の構造例を示す縦断面略図である。
【図５】図４の光アダプタを光コネクタ挿入口から見た正面略図である。
【図６】図１の実施例に用いる不可視光検出部のさらに他の構造例を示す縦断面略図である。
【図７】本発明における第２の実施例である光ファイバを伝搬する不可視光の検出表示方式を示すブロック図である。
【図８】図７の実施例の変形例に相当する本発明の第３の実施例を示すブロック図である。
【図９】本発明における第４の実施例である光ファイバを伝搬する不可視光の検出表示方式を示すブロック図である。
【符号の説明】
１  光変調信号送信機
２  光ファイバ導波路
３  光分岐回路
３ａ，３ｂ  出力端
４  光変調信号受信機
５  不可視光検出部
５ａ  光コネクタフェルール
５ｂ  光コネクタハウジング
５ｃ  光コネクタ光遮蔽部
５ｃ−１  不可視光検出材料部
５ｄ  割りスリーブ
５ｅ  アダプタハウジング
５ｆ  光遮蔽部
５ｇ  光コネクタキャップ
６  光アイソレータ
７  可視光導波光ファイバ
１０  光変調信号送受信機
１１  不可視光検出部
２０  光変調信号送受信機
３０  方向性光分岐回路
４０  光合波器
４１  不可視光検出部
５０  光変調信号送信機
５１  光試験信号送出器
５２  光アダプタ
５３  光波長多重合波回路
５４  光波長フィルタ
５５  光変調信号受信機
５６  不可視光検出部
【図１】
2004233181.tif 000003
【図２】
2004233181.tif 000004
【図３】
2004233181.tif 000005
【図４】
2004233181.tif 000006
【図５】
2004233181.tif 000007
【図６】
2004233181.tif 000008
【図７】
2004233181.tif 000009
【図８】
2004233181.tif 000010
【図９】
2004233181.tif 000011